(57)【特許請求の範囲】
【請求項１】
電子商取引における使用者の識別および当該使用者の当該電子商取引に関する個人データを含むデータを保持するユーザ用ＩＣカードと、
上記電子商取引における商品の販売者の識別および当該商品の販売者の上記電子商取引に関するデータを含むデータを保持する店用ＩＣカードと、
通信網と、
上記ユーザ用ＩＣカードおよび上記店用ＩＣカードと個別にデータを授受するリーダ／ライタを内蔵し、上記リーダ／ライタが取得した上記店用ＩＣカードのデータと上記店用ＩＣカードの識別ＩＤとを上記通信網を介して送信する第１の送信と、当該第１の送信後、上記リーダ／ライタが取得した、上記ユーザ用ＩＣカードのデータと上記ユーザ用ＩＣカードの識別ＩＤとを上記通信網を介して送信する第２の送信とを行う、通話機能を有する携帯無線通話端末と、
上記携帯無線通話端末と上記通信網を介して通信を行い、上記電子商取引に関する処理を行うセンタと、
を有し、
上記センタは、
上記携帯無線通話端末が上記第１の送信にて送信した、上記店用ＩＣカードのデータと上記店用ＩＣカードの識別ＩＤとを受信する第１の受信処理と、
上記第１の受信処理にて受信した上記店用ＩＣカードの識別ＩＤを用いて、上記電子商取引を続行するための照合を行う第１の照合処理と、
上記第１の照合処理にて肯定的な照合結果が得られた場合であっても、上記携帯無線通話端末の位置情報を確認し、あらかじめ登録された位置に上記携帯無線通話端末が位置すると判断した場合に、上記電子商取引が可能である旨を上記携帯無線通話端末の表示画面に表示させるための電子商取引続行信号を上記通信網を介して上記携帯無線通話端末に送信する電子商取引続行信号送信処理と、
上記電子商取引続行信号送信処理後、上記携帯無線通話端末が上記第２の送信にて送信した上記ユーザ用ＩＣカードのデータと上記ユーザ用ＩＣカードの識別ＩＤとを受信する第２の受信処理と、
上記第２の受信処理にて受信した上記ユーザ用ＩＣカードの識別ＩＤの照合を行う第２の照合処理と、
上記第２の照合処理にて肯定的な照合結果が得られた場合に、上記店用ＩＣカードのデータと上記ユーザ用ＩＣカードのデータとを用いて決済を行い、決済処理データを保持する決済処理と、
を行う
情報提供システム。
【請求項２】
電子商取引における使用者の識別および当該使用者の当該電子商取引に関する個人データを含むデータを保持するユーザ用ＩＣカードと、
上記電子商取引における商品の販売者の識別および当該商品の販売者の上記電子商取引に関するデータを含むデータを保持する店用ＩＣカードと、
通信網と、
上記ユーザ用ＩＣカードおよび上記店用ＩＣカードと個別にデータを授受するリーダ／ライタを内蔵し、上記リーダ／ライタが取得した、上記店用ＩＣカードのデータと上記店用ＩＣカードの識別ＩＤとを上記通信網を介して送信する第１の送信と、当該第１の送信後、上記リーダ／ライタが取得した上記ユーザ用ＩＣカードのデータと上記ユーザ用ＩＣカードの識別ＩＤとを上記通信網を介して送信する第２の送信とを行う、通話機能を有する携帯無線通話端末と、
上記携帯無線通話端末と上記通信網を介して通信を行い、上記電子商取引に関する処理をコンピュータを用いて行うセンタと、
を有する情報提供システムの上記センタのコンピュータが実行する処理プログラムを記録した記録媒体であって、
上記携帯無線通話端末が上記第１の送信にて送信した、上記店用ＩＣカードのデータと上記店用ＩＣカードの識別ＩＤとを受信する第１の受信処理プログラムと、
上記第１の受信処理プログラムの実行により、受信した上記店用ＩＣカードの識別ＩＤを用いて、上記電子商取引を続行するための照合を行う第１の照合処理プログラムと、
上記第１の照合処理プログラムの実行により、肯定的な照合結果が得られた場合であっても、上記携帯無線通話端末の位置情報を確認し、あらかじめ登録された位置に上記携帯無線通話端末が位置すると判断した場合に、上記電子商取引が可能である旨を上記携帯無線通話端末の表示画面に表示させるための電子商取引続行信号を上記通信網を介して上記携帯無線通話端末に送信する電子商取引続行信号送信処理プログラムと、
上記電子商取引続行信号送信処理プログラムの実行後、上記携帯無線通話端末が上記第２の送信にて送信した上記ユーザ用ＩＣカードのデータと上記ユーザ用ＩＣカードの識別ＩＤとを受信する第２の受信処理プログラムと、
上記第２の受信処理プログラムの実行により、受信した上記ユーザ用ＩＣカードの識別ＩＤの照合を行う第２の照合処理プログラムと、
上記第２の照合処理プログラムの実行により、肯定的な照合結果が得られた場合に、上記店用ＩＣカードのデータと上記ユーザ用ＩＣカードのデータとを用いて決済を行い、決済処理データを保持する決済処理プログラムと、
を記録した記録媒体。
【発明の詳細な説明】
【０００１】
【発明の属する技術分野】
本発明は、たとえば商取引等に用いられるＩＣカード等の識別カード使用者を識別する個人情報等を含むデータを、決済センタ等の管理センタと交信して決済や情報の更新等を行う情報提供システム並びに記録媒体に関するものである。
【０００２】
【従来の技術】
近年、ＰＯＳ（Ｐｏｉｎｔ  ｏｆ  Ｓａｌｅｓ）端末や自動販売機等の、サービスや物品との代金の授受（商取引）を行う機器が普及している。
しかし、これらの機器は、現金処理が前提に構成されていることから、業者等は、釣り銭の準備や現金合わせ、防犯等の日常の管理を行わなければならず、煩雑な手間を要している。
【０００３】
そこで、これらの商取引の分野においては、たとえば使用者を識別する個人情報や取引のためのデータを記憶あるいは所定の処理を施すＩＣモジュールを搭載し、決済機能やポイント、電子マネー等の機能を持つＩＣカードが広く用いられるようになってきている。
【０００４】
このＩＣカードを用いた商取引では、電子データのやりとりだけで決済等を行え、上述した現金処理の煩雑な手間が省けるという利点がある。
【０００５】
ＩＣカード等では、たとえば送受信機能の備えた専用のリーダ／ライタを介してデータの書き込み、消去、更新等が行われる。
【０００６】
【発明が解決しようとする課題】
ところで、上述したようなＩＣカードの使用者は、ＩＣカードのデータ内容を確認するためには、特別なビューワ（ＰＯＳ等を含む）を利用する必要がある。そして、ビューワが手元にない場合には、ＩＣカードのデータ内容を知りたくとも、内容を参照し、確認することができない。
電子マネーでは、専用ビューワも存在するが、その端末コストも事業者もしくはユーザが負担する必要がある。
また、ＩＣカードの内容を知るだけのために、普段は必要もないものを持ち歩かなければならなず、煩雑である。
【０００７】
また、ＩＣカードを利用して店頭で決済を行う場合、ユーザの認証のため、ＰＯＳ等にＰＩＮを入力するためのテンキーが必要となる場合がある。
しかし、店頭のカウンター上等に置いてあるテンキーは、回りにいる他人から見られるおそれがある。
同様に、テンキーデバイスとレジスタ・ＰＣ等の間に何らかの装置を接続してユーザが入力した数値情報が盗まれるおそれがある。
【０００８】
また、上述したように、店頭で決済を行うシステムでは、対応する決済箇所にＰＯＳ等の専用端末を設ける必要がある。
【０００９】
本発明は、かかる事情に鑑みてなされたものであり、その目的は、店頭に専用端末が不要で、設置コストを節約でき、また、不正使用を防止でき、安全性高く決済を行うことができる情報提供システム並びに記録媒体を提供することにある。
【００１０】
【課題を解決するための手段】
上記目的を達成するため、本発明の情報提供システムは、電子商取引における使用者の識別および当該使用者の当該電子商取引に関する個人データを含むデータを保持するユーザ用ＩＣカードと、上記電子商取引における商品の販売者の識別および当該商品の販売者の上記電子商取引に関するデータを含むデータを保持する店用ＩＣカードと、通信網と、上記ユーザ用ＩＣカードおよび上記店用ＩＣカードと個別にデータを授受するリーダ／ライタを内蔵し、上記リーダ／ライタが取得した上記店用ＩＣカードのデータと上記店用ＩＣカードの識別ＩＤとを上記通信網を介して送信する第１の送信と、当該第１の送信後、上記リーダ／ライタが取得した、上記ユーザ用ＩＣカードのデータと上記ユーザ用ＩＣカードの識別ＩＤとを上記通信網を介して送信する第２の送信とを行う、通話機能を有する携帯無線通話端末と、上記携帯無線通話端末と上記通信網を介して通信を行い、上記電子商取引に関する処理を行うセンタと、を有し、上記センタは、上記携帯無線通話端末が上記第１の送信にて送信した、上記店用ＩＣカードのデータと上記店用ＩＣカードの識別ＩＤとを受信する第１の受信処理と、上記第１の受信処理にて受信した上記店用ＩＣカードの識別ＩＤを用いて、上記電子商取引を続行するための照合を行う第１の照合処理と、上記第１の照合処理にて肯定的な照合結果が得られた場合であっても、上記携帯無線通話端末の位置情報を確認し、あらかじめ登録された位置に上記携帯無線通話端末が位置すると判断した場合に、上記電子商取引が可能である旨を上記携帯無線通話端末の表示画面に表示させるための電子商取引続行信号を上記通信網を介して上記携帯無線通話端末に送信する電子商取引続行信号送信処理と、上記電子商取引続行信号送信処理後、上記携帯無線通話端末が上記第２の送信にて送信した上記ユーザ用ＩＣカードのデータと上記ユーザ用ＩＣカードの識別ＩＤとを受信する第２の受信処理と、上記第２の受信処理にて受信した上記ユーザ用ＩＣカードの識別ＩＤの照合を行う第２の照合処理と、上記第２の照合処理にて肯定的な照合結果が得られた場合に、上記店用ＩＣカードのデータと上記ユーザ用ＩＣカードのデータとを用いて決済を行い、決済処理データを保持する決済処理と、を行う。
【００１７】
本発明の記録媒体は、電子商取引における使用者の識別および当該使用者の当該電子商取引に関する個人データを含むデータを保持するユーザ用ＩＣカードと、上記電子商取引における商品の販売者の識別および当該商品の販売者の上記電子商取引に関するデータを含むデータを保持する店用ＩＣカードと、通信網と、上記ユーザ用ＩＣカードおよび上記店用ＩＣカードと個別にデータを授受するリーダ／ライタを内蔵し、上記リーダ／ライタが取得した、上記店用ＩＣカードのデータと上記店用ＩＣカードの識別ＩＤとを上記通信網を介して送信する第１の送信と、当該第１の送信後、上記リーダ／ライタが取得した上記ユーザ用ＩＣカードのデータと上記ユーザ用ＩＣカードの識別ＩＤとを上記通信網を介して送信する第２の送信とを行う、通話機能を有する携帯無線通話端末と、上記携帯無線通話端末と上記通信網を介して通信を行い、上記電子商取引に関する処理をコンピュータを用いて行うセンタと、を有する情報提供システムの上記センタのコンピュータが実行する処理プログラムを記録した記録媒体であって、上記携帯無線通話端末が上記第１の送信にて送信した、上記店用ＩＣカードのデータと上記店用ＩＣカードの識別ＩＤとを受信する第１の受信処理プログラムと、上記第１の受信処理プログラムの実行により、受信した上記店用ＩＣカードの識別ＩＤを用いて、上記電子商取引を続行するための照合を行う第１の照合処理プログラムと、上記第１の照合処理プログラムの実行により、肯定的な照合結果が得られた場合であっても、上記携帯無線通話端末の位置情報を確認し、あらかじめ登録された位置に上記携帯無線通話端末が位置すると判断した場合に、上記電子商取引が可能である旨を上記携帯無線通話端末の表示画面に表示させるための電子商取引続行信号を上記通信網を介して上記携帯無線通話端末に送信する電子商取引続行信号送信処理プログラムと、上記電子商取引続行信号送信処理プログラムの実行後、上記携帯無線通話端末が上記第２の送信にて送信した上記ユーザ用ＩＣカードのデータと上記ユーザ用ＩＣカードの識別ＩＤとを受信する第２の受信処理プログラムと、上記第２の受信処理プログラムの実行により、受信した上記ユーザ用ＩＣカードの識別ＩＤの照合を行う第２の照合処理プログラムと、上記第２の照合処理プログラムの実行により、肯定的な照合結果が得られた場合に、上記店用ＩＣカードのデータと上記ユーザ用ＩＣカードのデータとを用いて決済を行い、決済処理データを保持する決済処理プログラムと、を記録した記録媒体である。
【００１９】
本発明によれば、たとえば携帯電話等の携帯無線通話端末から店用ＩＣカードのデータが送信される。このデータは通信網を介してセンタで受信される。センタでは、店用ＩＣカードのデータを受信して電子商取引を続行するための照合が行われ、肯定的な照合結果が得られると、電子商取引処理続行信号が携帯無線通話端末に送信される。電子商取引処理続行信号を受けた携帯無線通話端末からは、次に、ユーザ用ＩＣカードのデータが送信され、これを受けたセンタでは、当該データに基づいて決済処理が行われ、決済処理データが保持される。
【００２０】
【発明の実施の形態】
第１実施形態
図１は、本発明に係る情報提供システムの第１の実施形態を示すシステム構成図である。
【００２１】
本情報提供システム１０は、ＩＣカード１１、ＰＯＳやリーダ／ライタ、あるいは自動販売機等の専用端末１２、携帯通信端末２０、ＰＣ通信端末３０、第２センタとしての情報提供センタ４０、第１センタとしての決済センタ５０、決済ネットワーク６０、基地局７０、携帯電話ネットワーク８０、およびインターネット９０により構成されている。
【００２２】
ＩＣカード１１は、たとえば図２に示すように、主としてインターフェイス部（Ｉ／Ｆ）１１１、メモリ部１１２、および制御部１１３により構成されている。
インタフェース部１１１は、制御部１１３と外部装置である専用端末１２とのデータの授受（通信処理）を接触あるいは非接触で行う。
【００２３】
メモリ部１１２は、たとえば不揮発性メモリにより構成され、制御部１１３の制御の下、ＩＣカード１１の所持者の認証番号、その所持者が持つ口座や口座が存在する銀行に関する情報、さらにＰＯＳやリーダ／ライタ、あるいは自動販売機等の専用端末１２を介して物品の商取引を行った度毎に、物品の販売業者の口座番号に関する情報、購入品目、購入した物品の金額、購入日付け、時間等を含む未決済情報や取引完了情報を記憶する。
【００２４】
制御部１１３は、たとえばＣＰＵ１１３１、ＲＯＭ１１３２、ＲＡＭ１１３３、および演算部１１３４を含み、ＲＯＭ１１３２に格納されたアプリケーションプログラムや、メモリ部１１２、ＲＡＭ１１３３に記憶されたデータを読み出して、認証処理や決済処理、あるいは暗号化復号化処理を行う。
【００２５】
専用端末１２は、上述したように、ＰＯＳやリーダ／ライタ、あるいは自動販売機等により構成され、接触式あるいは非接触式により、ＩＣカード１１との間でたとえば暗号化されているデータの通信処理を行い、また、図示しない送受信回路により決済ネットワーク６０を介して決済センタ５０との間で決済データ等の送受信を、たとえば無線で行う。
【００２６】
携帯通信端末２０は、たとえば携帯電話により構成され、図３および図４に示すように、本体ケース２０１と、通信部２０２と、音声部２０３と、表示部２０４と、操作部２０５と、リクエストボタン２０６と、制御回路２０７とを有している。
【００２７】
通信部２０２は、アンテナ２０２１、および送受信回路２０２２により構成されている。
送受信回路２０２２は、電波を利用した無線通信で行うために、制御回路２０７で暗号化された音声情報や端末ＩＤ等の各種情報を変調してアンテナ２０２１により基地局７０に送信し、また、アンテナ２０２１を介して受信したＩＣカード１１の内容情報や音声情報等の各種情報を復調して制御回路２０７に出力する。
【００２８】
音声部２０３は、音声処理回路２０３１、マイクロフォン２０３２、およびスピーカ２０３３により構成されている。
音声処理回路２０３１は、通話機能のための音声入力を行うマイクロフォン２０３２と音声出力を行うスピーカ２０３３が接続され、マイクロフォン２０３２により入力した音声に対して所定の処理を施して制御回路２０７に供給し、制御回路２０７により供給された音声情報に所定の処理を施してスピーカ２０３３から出力させる。
【００２９】
表示部２０４は、液晶デバイス等により構成され、情報センタ４０から送信されたＩＣカード１１の内容情報や通話機能のために入力された電話番号等を表示する。
【００３０】
操作部２０５は、通話機能のために電話番号を入力したり、所定の動作指示を入力するためのキーボードにより構成されている。
【００３１】
リクエストボタン２０６は、決済センタ５０に登録されているＩＣカード１１の所持者（登録者）が現在のＩＣカード１１に記憶されている履歴情報や残高等の情報を、表示部２０４に表示させ、携帯通信端末（携帯電話）２０をいわゆるビューワとして利用する場合に使用される。
【００３２】
制御回路２０７は、通信端末２０の全体の制御を行い、たとえば送受信回路２０２２で復調された各種情報に対して復号化処理を行い、また基地局７０、ネットワーク８０を介して情報センタ４０に送信する各種情報を暗号化処理を行ったり、音声処理、表示処理等を行う。
なお、制御回路２０７は、リクエストボタン２０６が操作されると、内容情報リクエスト信号とともに携帯の識別情報（端末ＩＤ）を送信情報として暗号化して送受信回路２０２２に供給する。
【００３３】
ＰＣ通信端末３０は、携帯式あるいはオフィスや家庭等に設けられる通信機能を有するパーソナルコンピュータにより構成され、インターネット９０を介して情報センタ４０に接続される。
ＰＣ通信端末３０は、周知のパーソナルコンピュータと同様に、表示部（たとえば液晶デバイス）、操作部（キーボード）等を有することはもとより、上述した携帯通信端末２０と同様に、決済センタ５０に登録されているＩＣカード１１の所持者（登録者）が現在のＩＣカード１１に記憶されている履歴情報や残高等の情報を、表示部２０４に表示させ、携帯通信端末（携帯電話）２０をいわゆるビューワとして利用するリクエストボタンあるいはそれに相当する機能を有している。
ＰＣ通信端末３０は、このリクエスト機能を他は周知のパーソナルコンピュータと同様であることから、ここではその詳細な構成、機能についての説明は省略する。
【００３４】
情報センタ４０は、携帯電話ネットワーク８０、インターネット９０、および決済センタ５０に接続され、携帯電話ネットワーク８０を介して携帯通信端末２０によるＩＣカードの内容情報リクエスト信号および端末ＩＤ、またはインターネット９０を介してＰＣ通信端末３０によるＩＣカードの内容情報リクエスト信号および端末ＩＤを受けると、端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られると表示情報として暗号化して、要求のあった携帯通信端末２０またはＰＣ通信端末３０に携帯電話ネットワーク８０またはインターネット９０を介して送信する。
【００３５】
情報センタ４０は、たとえば図５に示すように、情報アクセス要求処理部４０１、表示情報生成部４０２を含み、さらに、情報アクセス要求処理部４０１には内部に設けられた、あるいは外部に設けられたカードデータベース（カードＤＢ）４０３が接続されている。
【００３６】
情報アクセス要求処理部４０１は、携帯通信端末２０またはＰＣ通信端末３０によるＩＣカードの内容情報リクエスト信号および端末ＩＤを受けると、復号化してカードデータベース４０３をアクセスして端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られるとこの情報を表示情報生成部４０２に供給する。
【００３７】
表示情報生成部４０２は、情報アクセス要求処理部４０１により得られたＩＣカードの内容情報を表示情報として暗号化して、要求のあった携帯通信端末２０またはＰＣ通信端末３０に携帯電話ネットワーク８０またはインターネット９０を介して送信する。
【００３８】
カードデータベース４０３は、たとえば図６に示すように、端末ＩＤと対応するカードＩＤが登録されている。
【００３９】
決済センタ５０は、決済ネットワーク６０および情報センタ４０に接続され、専用端末１２、決済ネットワーク６０を介して送信されたＩＣカード１１の決済データを受けて、所定の決済処理を行い、そのＩＣカード１１の履歴や決済により生じた残高情報等とを更新し、更新情報等を決済ネットワーク６０を介して専用端末１２に送信する。
また、決済センタ５０は、情報センタ４０によりＩＤで指定されたＩＣカードの履歴や残高情報等からなる内容情報のアクセス要求を受けると、該当するＩＣカードの内容情報を取得して情報センタ４０に供給する。
【００４０】
決済センタ５０は、図５に示すように、決済ネットワーク６０によるＩＣカード１１の決済データに対する所定の決済処理を行い、そのＩＣカード１１の履歴や決済により生じた残高情報等とを更新し、更新情報等を決済ネットワーク６０を介して専用端末１２に送信し、また、情報センタ４０の情報アクセス要求処理部４０１による内容情報のアクセス要求を受けると、該当するＩＣカードの内容情報を取得して情報センタ４０に供給する決済情報処理部５０１を有している。また、決済情報処理部５０１は、内部に設けられた、あるいは外部に設けられたカード別履歴データベース５０２およびカード別残高情報（内容情報）データベース５０３が接続されており、こらのデータベース５０２、５０３の内容の更新する。
【００４１】
次に、上記構成におけるＩＣカードの内容情報の表示動作について、図７のフローチャートに関連付けて説明する。
なお、ここでは携帯通信端末（携帯電話）で内容情報を表示させる場合を例に説明する。
【００４２】
まず、携帯通信端末２０を使用している使用者が、自分が所持し各店頭で使用しているＩＣカード１１の内容情報を確認したい場合には、携帯通信端末２０に設けられているリクエストボタン２０６を操作する（ＳＴ１）。
これにより、携帯通信端末２０の制御回路２０７により内容情報リクエスト信号とともに携帯の端末ＩＤが送信情報として生成され、生成情報が暗号化されて送受信回路２０２２に供給される。
そして、送受信回路２０２２からアンテナ２０２１を介して内容情報リクエスト信号および携帯の端末ＩＤ情報を含む情報が無線で基地局７０に送信される（ＳＴ２）。
この送信情報は、携帯電話ネットワーク８０を介して情報センタ４０の情報アクセス要求処理部４０１で受信される（ＳＴ３）。
【００４３】
情報アクセス要求処理部４０１では、携帯通信端末２０によるＩＣカードの内容情報リクエスト信号および端末ＩＤを受けると、復号化処理が行われた後、カードデータベース４０３がアクセスされ端末ＩＤの照合が行われる（ＳＴ４）。
そして、ステップＳＴ４で肯定的な照合結果が得られると端末ＩＤに対応してあらかじめ登録されているＩＣカードのＩＤが得られ、当該ＩＤに対応するＩＣカードの内容情報が決済センタ５０に対して要求が出される。
【００４４】
決済センタ５０では、決済情報処理部５０１において、情報センタ４０の情報アクセス要求処理部４０１による内容情報のアクセス要求を受けると、データベース５０２，５０３がアクセスされて該当するＩＣカードの内容情報が取得されて情報センタ４０に供給される（ＳＴ５）。
【００４５】
情報センタ４０においては、決済センタ５０から内容情報が得られると情報アクセス要求処理部４０１を介して表示情報生成部４０２に供給される。
表示情報生成部４０２では、情報アクセス要求処理部４０１により得られたＩＣカードの内容情報が表示情報として暗号化されて、要求のあった携帯通信端末２０に携帯電話ネットワーク８０を介して送信される（ＳＴ６）。
【００４６】
携帯通信端末２０では、アンテナ２０２１を介して表示情報が受信され、送受信回路２０２２で復調処理が行われて制御回路２０７に供給される。
制御回路２０７では、復調された表示情報が復号化されて、表示部２０４に表示される（ＳＴ７）。
使用者は、この携帯通信端末２０の表示部２０４に表示された情報により現在のＩＣカード１１の残高や履歴等を確認する。
【００４７】
以上説明したように、本第１の実施形態によれば、リクエストボタン２０６が操作されると、内容情報リクエスト信号とともに携帯の識別情報（端末ＩＤ）を送信情報として暗号化して送信し、また、受信した表示情報を表示部２０４に表示する通信端末２０，３０と、携帯電話ネットワーク８０を介して携帯通信端末２０によるＩＣカードの内容情報リクエスト信号および端末ＩＤ、またはインターネット９０を介してＰＣ通信端末３０によるＩＣカードの内容情報リクエスト信号および端末ＩＤを受けると、端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られると表示情報として暗号化して、要求のあった携帯通信端末２０またはＰＣ通信端末３０に携帯電話ネットワーク８０またはインターネット９０を介して送信する情報センタ４０と、専用端末１２、決済ネットワーク６０を介して送信されたＩＣカード１１の決済データを受けて、所定の決済処理を行い、そのＩＣカード１１の履歴や決済により生じた残高情報等とを更新し、更新情報等を決済ネットワーク６０を介して専用端末１２に送信し、また、情報センタ４０によりＩＤで指定されたＩＣカードの履歴や残高情報等からなる内容情報のアクセス要求を受けると、該当するＩＣカードの内容情報を取得して情報センタ４０に供給する決済センタ５０とを設けたので、特別なビューワ等の専用装置を用いることなく、また普段は必要もない専用装置を持ち歩かなくとも、容易にＩＣカード等のデータ保持体のデータの内容を確認することができる路利点がある。
【００４８】
第２実施形態
図８は、本発明に係る情報提供システムの第２の実施形態を示すシステム構成図である。
【００４９】
本第２の実施形態が上述した第１の実施形態と異なる点は、ＩＣカード１１を利用して店頭で決済を行う場合、ユーザの認証のため、店頭のカウンター上等に置いてあるテンキーを用いずに、ユーザ自身が携帯している携帯通信端末２０Ａを呼び出して確認応答を行い、確認応答に応じて決済センタ５０Ａ側で認証を行い、肯定的な結果が得られた場合に通常の決済処理を行うようにしたことにある。
以下、第１の実施形態と異なる機能部分について説明する。
【００５０】
本第２の実施形態では、携帯通信端末２０Ａに、図９に示すように、図４に示す構成に加えて応答ボタン２０８を設けている。
携帯通信端末２０Ａは、認証のための呼び出しを受けて使用者が応答ボタン２０８を操作すると、制御回路２０７Ａは応答信号と端末ＩＤを暗号化して送受信回路２０２２に送信させる。
【００５１】
また、情報センタ４０Ａは、決済センタ５０から使用されるＩＣカード１１のＩＤとともに、認証応答確認要求を受けると、データベース５０３に登録されているカードＩＤに対応した端末ＩＤを確認して、当該端末に対して自動ダイヤルし、携帯通信端末２０Ａからの応答信号および端末ＩＤを受けると復号化して、端末ＩＤの照合を行い、肯定的な照合結果が得られると応答信号を決済センタ５０Ａに供給する。
【００５２】
決済センタ５０Ａは、専用端末１２、決済ネットワーク６０を介して店頭からの、カードＩＤ、取引開始情報や売り上げデータ等の取引開始情報を受けると、カードＩＤの照合を行って、肯定的な照合結果が得られると、情報センタ４０ＡにＩＣカード１１のＩＤとともに、認証応答確認要求を出し、情報センタ４０Ａから応答信号を受けると、所定の決済処理やデータベースの更新処理を行い、かつ処理後の情報を暗号化して決済ネットワークを介して、専用端末１２、さらにはＩＣカード１１に送信する。
【００５３】
次に、上記構成においてＩＣカード１１を利用して店頭で決済を行う場合の動作について、図１０に関連付けて説明する。
【００５４】
まず、商品の購入を希望するＩＣカード１１の使用者は、ＩＣカード１１を店頭で提示する（ＳＴ１１）。
ＩＣカード１１の提示を受けた店側は、ＩＣカード１１を専用端末１２に接触式あるいは非接触式でアクセスさせて、売り上げデータ、カードＩＤ等の情報が決済ネットワーク６０を介して決済センタ５０Ａに送信される（ＳＴ１２）。
【００５５】
決済ネットワーク５０Ａにおいては、専用端末１２、決済ネットワーク６０を介して店頭からの、カードＩＤ、取引開始情報や売り上げデータ等の取引開始情報を受けると、カードＩＤの照合が行われる（ＳＴ１３，ＳＴ１４）。
そして、肯定的な照合結果が得られる、情報センタ４０ＡにＩＣカード１１のＩＤとともに、認証応答確認要求が出される（ＳＴ１５）。
【００５６】
情報センタ４０Ａでは、決済センタ５０から使用されるＩＣカード１１のＩＤとともに、認証応答確認要求を受けると、データベース５０３に登録されているカードＩＤに対応した端末ＩＤを確認して、携帯通信端末２０Ａの番号が取得され（ＳＴ１６，ＳＴ１７）、当該端末に対して自動ダイヤルにより応答要求が行われる（ＳＴ１８）。
【００５７】
携帯通信端末２０Ａでは、認証のための呼び出しを受けると、呼び出し音に応じて、使用者が応答ボタン２０８を操作する（ＳＴ１９）。
これにより、制御回路２０７Ａにより応答信号と端末ＩＤが暗号化され、送受信回路２０２２、アンテナ２０２１を介して基地局７０に送信される。
基地局７０に到達した応答信号と端末ＩＤはネットワーク８０を介して情報センタ４０Ａで受信される（ＳＴ２０）。
【００５８】
応答信号と端末ＩＤを受けた情報センタ４０Ａでは、応答信号および端末ＩＤが復号化されて端末ＩＤの照合が行われる。そして、肯定的な照合結果が得られると応答信号が決済センタ５０Ａに供給される（ＳＴ２１）。
【００５９】
応答信号を受けた決済センタ５０Ａでは、所定の決済処理やデータベースの更新処理が行され（ＳＴ２２）、これらのＥＲＡＮＯ処理が終了すると（ＳＴ２３）、処理号情報が完了信号として決済ネットワーク６０介して専用端末１２に送信される（ＳＴ２４）。
専用端末１２で受信された完了信号は復調されて、ＩＣカード１１に供給される。
そして、ＩＣカード１１においては制御部の制御の下、メモリ部へのカードデータ更新処理が行われる（ＳＴ２５）。
【００６０】
本第２の実施形態によれば、認証のための呼び出しを受けて使用者が応答ボタン２０８を操作すると、制御回路２０７Ａは応答信号と端末ＩＤを暗号化して送受信回路２０２２に送信させる携帯通信端末と、決済センタ５０から使用されるＩＣカード１１のＩＤとともに、認証応答確認要求を受けると、データベース５０３に登録されているカードＩＤに対応した端末ＩＤを確認して、当該端末に対して自動ダイヤルし、携帯通信端末２０Ａからの応答信号および端末ＩＤを受けると復号化して、端末ＩＤの照合を行い、肯定的な照合結果が得られると応答信号を決済センタ５０Ａに供給する情報センタ４０Ａと、専用端末１２、決済ネットワーク６０を介して店頭からの、カードＩＤ、取引開始情報や売り上げデータ等の取引開始情報を受けると、カードＩＤの照合を行って、肯定的な照合結果が得られると、情報センタ４０ＡにＩＣカード１１のＩＤとともに、認証応答確認要求を出し、情報センタ４０Ａから応答信号を受けると、所定の決済処理やデータベースの更新処理を行い、かつ処理後の情報を暗号化して決済ネットワークを介して、専用端末１２、さらにはＩＣカード１１に送信する決済センタ５０Ａとを設けたので、所定の決済箇所で、認証情報等を覗き見されたり盗まれたりすることを防止でき、不正使用を防止でき、安全性高く決済を行うことができる利点がある。
【００６１】
また、本第２の実施形態では、第１の実施形態の内容情報確認機能を携帯通信端末２０Ａは有していることから、上述した第１の実施形態の効果をも得ることができる。
【００６２】
なお、この第１の実施形態の内容情報確認機能を持たない携帯通信端末２０Ａを構成することも可能であることはいうまでもない。
【００６３】
また、本第２の実施形態においては、認証確認を携帯通信端末からの応答信号および端末ＩＤに基づいて行うようにしたが、本発明はこれに限定されるものではなく、たとえば携帯電話に係る位置情報を確認情報として用いることも可能である。
この場合、その携帯通信端末の認証確認端末としての使用可能領域をあらかじめ特定して登録しておき、通話（応答）時に得られる位置情報により特定領域にあると判断した場合にのみ認証確認を行う等、種々の態様が可能となる。
【００６４】
第３実施形態
図１１は、本発明に係る情報提供システムの第３の実施形態を示すシステム構成図である。
【００６５】
本第３の実施形態では、ＩＣカード自体を店頭等に設置される専用端末を介して取引を行うのではなく、ユーザ（ＩＣカードの所持者）側、たとえばその自宅等で決済を行うように構成している。
【００６６】
そのため、本第３の実施形態では、ＩＣカードをユーザのみならず、商品販売側（店側）もＩＣカード（以下、店用ＩＣカード）を所持し、商品販売者は、この店用ＩＣカードをユーザの自宅等に持参し、ユーザ側が所有する専用端末である、たとえば携帯型リーダ／ライタを用いて店認証を行うとともに、通常のユーザ用ＩＣカードを用いて通常の取引を行うように構成している。
【００６７】
本情報提供システム１００は、ユーザ用ＩＣカード１０１、店用ＩＣカード１０２、携帯式専用端末（本発明のリーダ／ライタ）１０３、ＰＯＳやリーダ／ライタ、あるいは自動販売機等の専用端末１０４、携帯通信端末（本発明の携帯無線通話端末）１１０、決済センタ１２０、決済ネットワーク１４０、基地局１３０、および携帯電話ネットワーク１５０により構成されている。
【００６８】
ユーザ用ＩＣカード１０１、および店用ＩＣカード１０２は、基本的には同様の構成を有し、ユーザ用ＩＣカード１０１は、たとえば図１２に示すように、主としてインタフェイス部（Ｉ／Ｆ）１１１、メモリ部１１２、および制御部１１３により構成されている。
インタフェース部１１１は、制御部１１３と外部装置である専用端末１０３とのデータの授受（通信処理）を接触あるいは非接触で行う。
【００６９】
メモリ部１１２は、たとえば不揮発性メモリにより構成され、ユーザ用ＩＣカード１０１の場合、制御部１１３の制御の下、ＩＣカード１０１の所持者の認証番号、その所持者が持つ口座や口座が存在する銀行に関する情報、さらに携帯式専用端末１０３や店頭に設置されるＰＯＳやリーダ／ライタ、あるいは自動販売機等の専用端末１０４を介して物品の商取引を行った度毎に、物品の販売業者の口座番号に関する情報、購入品目、購入した物品の金額、購入日付け、時間等を含む未決済情報や取引完了情報を記憶する。
同様に、メモリ部１１２は、店用ＩＣカード１０２の場合には、ＩＣカード１０２の所持者の認証番号、店番号、その所持者が持つ口座や口座が存在する銀行に関する情報、さらに携帯式専用端末１０３や店頭に設置されるＰＯＳやリーダ／ライタ、あるいは自動販売機等の専用端末１０４を介して物品の商取引を行った度毎に、物品の販売業者の口座番号に関する情報、購入品目、購入した物品の金額、購入日付け、時間等を含む未決済情報や取引完了情報を記憶する。
【００７０】
制御部１１３は、たとえばＣＰＵ１１３１、ＲＯＭ１１３２、ＲＡＭ１１３３、および演算部１１３４を含み、ＲＯＭ１１３２に格納されたアプリケーションプログラムや、メモリ部１１２、ＲＡＭ１１３３に記憶されたデータを読み出して、認証処理や決済処理、あるいは暗号化復号化処理を行う。
【００７１】
携帯用専用端末１０３は、接触式あるいは非接触式により、ＩＣカード１０１，１０２との間でデータの通信処理を行うとともに、携帯通信端末１１０とのデータの通信処理を接触式あるいは非接触式により行う。
なお、本第３の実施形態では、携帯用専用端末１０３は、携帯通信端末１１０の外付けとして設ける場合を例に示しているが、たとえば携帯通信端末１１０自体に内蔵させるように構成することも可能である。
【００７２】
携帯通信端末１１０は、たとえば携帯電話により構成され、図１３および図１４に示すように、本体ケース１１０１と、通信部１１０２と、音声部１１０３と、表示部１１０４と、操作部１１０５と、携帯用専用端末１０３とのインタフェース部（Ｉ／Ｆ）１１０６と、制御回路１１０７とを有している。
【００７３】
通信部１１０２は、アンテナ１１０２１、および送受信回路１１０２２により構成されている。
送受信回路１１０２２は、電波を利用した無線通信で行うために、制御回路１１０７で暗号化された音声情報や端末ＩＤ等、あるいは携帯用専用端末１０３からのユーザ用ＩＣカード１０１や店用ＩＣカード１０２のＩＤ等の各種情報を変調してアンテナ１１０２１により基地局１３０に送信し、また、アンテナ１１０２１を介して受信したＩＣカード１０１，１０２の内容情報や音声情報等の各種情報を復調して制御回路１１０７に出力する。
【００７４】
音声部１１０３は、音声処理回路１１０３１、マイクロフォン１１０３２、およびスピーカ１１０３３により構成されている。
音声処理回路１１０３１は、通話機能のための音声入力を行うマイクロフォン１１０３２と音声出力を行うスピーカ１１０３３が接続され、マイクロフォン１１０３２により入力した音声に対して所定の処理を施して制御回路１１０７に供給し、制御回路１１０７により供給された音声情報に所定の処理を施してスピーカ１１０３３から出力させる。
【００７５】
表示部１１０４は、液晶デバイス等により構成され、決済センタ１２０から送信されたＩＣカード１１の内容情報や通話機能のために入力された電話番号等を表示する。
【００７６】
操作部１１０５は、通話機能のために電話番号を入力したり、所定の動作指示を入力するためのキーボードにより構成されている。
【００７７】
インタフェース部１１０６は、制御回路１１０７と外部装置である専用端末１０３とのデータの授受（通信処理）を接触あるいは非接触で行う。
【００７８】
制御回路１１０７は、通信端末１１０の全体の制御を行い、たとえば送受信回路１１０２２で復調された各種情報に対して復号化処理を行い、また基地局１３０、ネットワーク１５０を介して情報センタ４０に送信する各種情報を暗号化処理を行ったり、音声処理、表示処理等を行う。
【００７９】
決済センタ１２０は、携帯通信端末１１０、基地局１３０、および携帯電話ネットワーク１５０を介して店頭と異なるたとえば携帯通信端末１１０からの、あるいは専用端末１０４、決済ネットワーク１４０を介して店頭からの、カードＩＤ、取引開始情報や売り上げデータ等の取引開始情報を受けると、店用ＩＣカード１０２、ユーザ用ＩＣカード１０のカードＩＤの照合を行って、肯定的な照合結果が得られると、所定の決済処理やデータベースの更新処理を行い、かつ処理後の情報を暗号化して携帯電話ネットワーク１５０または決済ネットワーク１４０に送信する。
具体的には、決済センタ１２０は、家庭での決済が行われる場合には、まず店用ＩＣカード１０２のＩＤ照合を行い、肯定的な照合結果が得られると、取引処理続行信号（本発明の電子商取引続行信号）を暗号化して携帯電話ネットワーク１５０を介して店頭と異なるたとえば携帯通信端末１１０に送信する。
そして、次に、ユーザ用ＩＣカード１０１のＩＤを受けるとカードＩＤの照合を行って、肯定的な照合結果が得られると、所定の決済処理やデータベースの更新処理を行い、かつ処理後の情報を暗号化して携帯電話ネットワーク１５０に送信する。
【００８０】
次に、上記構成において店用ＩＣカード１０２およびユーザ用ＩＣカード１０１を利用し個人の家庭で決済を行う場合の動作について、図１５のフローチャートに関連付けて説明する。
【００８１】
商品の購入を希望するユーザ用ＩＣカード１０１の使用者宅を、商品販売側の販売者が店用ＩＣカード１０２を持参して訪問する（ＳＴ１０１）。
販売者は、使用者に対して携帯通信端末１１０および専用端末１０３の提供を要求する（ＳＴ１０２）。
【００８２】
携帯通信端末１１０および専用端末１０３の提供を受けた販売者は、まず、店用ＩＣカード１０２を専用端末１０３に接触式あるいは非接触式でアクセスさせる。
これにより、店用ＩＣカード１０２のカードＩＤを含む各種情報が携帯通信端末１１０のインタフェース部１１０６を介して制御回路１１０７に入力される。制御回路１１０７では、店用ＩＣカード１０２のカードＩＤを含む各種情報が暗号化されて送受信回路１１０２２に供給される。
そして、送受信回路１１０２２からアンテナ１１０２１を介してカードＩＤを含む各種情報が無線で基地局１３０に送信される（ＳＴ１０３）。
この送信情報は、携帯電話ネットワーク１５０を介して決済センタ１２０で受信される（ＳＴ１０４）。
【００８３】
決済センタ１２０では、店用ＩＣカード１０２のＩＤ照合が行われ（ＳＴ１０５）、肯定的な照合結果が得られると、取引処理続行信号が暗号化され携帯電話ネットワーク１５０を介して店頭と異なるたとえば携帯通信端末１１０の送信される（ＳＴ１０６）。
【００８４】
携帯通信端末１１０では、アンテナ１１０２１を介して取引処理続行信号が受信され、送受信回路１１０２２で復調処理が行われて制御回路１１０７に供給される。
制御回路１１０７では、復調された情報が復号化されて、取引を続行可能である旨が表示部１１０４に表示される（ＳＴ１０７）。
また、取引処理続行信号はインタフェース部１１０６を介して専用端末１０３に送信される。
専用端末１０３で受信された完了信号は復調されて、ＩＣカード１０２に供給される。
そして、ＩＣカード１０２においては制御部の制御の下、メモリ部へのカードデータの更新処理が行われる。
【００８５】
販売者は、この携帯通信端末１１０の表示部１１０４に表示された情報により取引が続行可能である旨を確認して、次に、ユーザ用ＩＣカード１０１を専用端末１０３に接触式あるいは非接触式でアクセスさせる。
これにより、ユーザ用ＩＣカード１０１のカードＩＤや売り上げデータ等の取引情報を含む各種情報が携帯通信端末１１０のインタフェース部１１０６を介して制御回路１１０７に入力される。制御回路１１０７では、店用ＩＣカード１０２のカードＩＤを含む各種情報が暗号化されて送受信回路１１０２２に供給される。
そして、送受信回路１１０２２からアンテナ１１０２１を介してカードＩＤを含む各種情報が無線で基地局１３０に送信される（ＳＴ１０８）。
この送信情報は、携帯電話ネットワーク１５０を介して決済センタ１２０で受信される（ＳＴ１０９）。
【００８６】
決済センタ１２０では、ユーザ用ＩＣカード１０１のＩＤ照合が行われ（ＳＴ１１０）、肯定的な照合結果が得られると、所定の決済処理やデータベースの更新処理が行され（ＳＴ１１１）、これらの処理が終了すると、処理号情報が完了信号として暗号化され携帯電話ネットワーク１５０を介して店頭と異なるたとえば携帯通信端末１１０の送信される（ＳＴ１１２）。
携帯通信端末１１０では、アンテナ１１０２１を介して完了信号が受信され、送受信回路１１０２２で復調処理が行われて制御回路１１０７に供給される。
制御回路１１０７では、復調された情報が復号化されて、取引が完了した旨が表示部１１０４に表示される。
また、完了信号はインタフェース部１１０６を介して専用端末１０３に送信される。
専用端末１０３で受信された完了信号は復調されて、ＩＣカード１０１に供給される。
そして、ＩＣカード１０１においては制御部の制御の下、メモリ部へのカードデータ更新処理が行われる。
【００８７】
以上説明したように、本第３の実施形態によれば、ＩＣカードをユーザのみならず、商品販売側（店側）も店用ＩＣカード１０２を所持し、商品販売者は、この店用ＩＣカード１０２をユーザの自宅等に持参し、ユーザ側が所有する専用端末である、たとえば携帯型リーダ／ライタを用いて店認証を行うとともに、通常のユーザ用ＩＣカード１０１を用いて通常の取引を行うように構成したので、店頭に専用端末が不要で、設置コストを節約でき、また、不正使用を防止でき、安全性高く決済を行うことができる利点がある。
【００８８】
なお、本第３の実施形態においては、認証確認を携帯通信端末からのＩＤに基づいて行うようにしたが、本発明はこれに限定されるものではなく、たとえば携帯電話に係る位置情報を確認情報として用いることも可能である。
この場合、その携帯通信端末の認証確認端末としての使用可能領域をあらかじめ特定して登録しておき、通話（応答）時に得られる位置情報により特定領域にあると判断した場合にのみ認証確認を行う等、種々の態様が可能となる。
【００８９】
なお、上述した第１〜第３の実施形態における情報センタや決済センタで処理するステップを実行するためのプログラム等は、コンピュータで読み出し可能な記録媒体、たとえばハードディスクや光ディスク、半導体記憶装置等に記憶され、センタに設置されるコンピュータにより読み出されて実行される。
【００９０】
【発明の効果】
以上説明したように、本発明によれば、店頭に専用端末が不要で、設置コストを節約でき、また、不正使用を防止でき、安全性高く決済を行うことができる利点がある。
【図面の簡単な説明】
【図１】本発明に係る情報提供システムの第１の実施形態を示すシステム構成図である。
【図２】ＩＣカードの機能ブロックを示す図である。
【図３】第１の実施形態に係る携帯通信端末（携帯電話）の外観を示す図である。
【図４】第１の実施形態に係る携帯通信端末（携帯電話）の機能ブロックを示す図である。
【図５】本発明に係る情報センタおよび決済センタの要部構成を示すブロック図である。
【図６】カードデータベースの登録データ例を示す図である。
【図７】第１の実施形態の動作を説明するためのフローチャートである。
【図８】本発明に係る情報提供システムの第２の実施形態を示すシステム構成図である。
【図９】第２の実施形態に係る携帯通信端末（携帯電話）の機能ブロックを示す図である。
【図１０】第２の実施形態の動作を説明するための図である。
【図１１】本発明に係る情報提供システムの第３の実施形態を示すシステム構成図である。
【図１２】第３の実施形態に係るＩＣカードの機能ブロックを示す図である。
【図１３】第３の実施形態に係る携帯通信端末（携帯電話）の外観を示す図である。
【図１４】第３の実施形態に係る携帯通信端末（携帯電話）の機能ブロックを示す図である。
【図１５】第３の実施形態の動作を説明するためのフローチャートである。
【符号の説明】
１０，１０Ａ…情報提供システム、１１…ＩＣカード、１２…専用端末、２０，２０Ａ…携帯通信端末、３０…ＰＣ通信端末、４０，４０Ａ…決済センタ、５０，５０Ａ…情報提供センタ、６０…決済ネットワーク、７０…基地局、８０…携帯電話ネットワーク、９０…インターネット、１００…情報提供システム、１０１…ユーザ用ＩＣカード、１０２…店用ＩＣカード、１０３…携帯式専用端末１０３、１０４…専用端末、１１０…携帯通信端末、１２０…決済センタ、１３０…決済ネットワーク、１４０…基地局、１５０…携帯電話ネットワーク。
【図１】
0004487384.tif 000002
【図２】
0004487384.tif 000003
【図３】
0004487384.tif 000004
【図４】
0004487384.tif 000005
【図５】
0004487384.tif 000006
【図６】
0004487384.tif 000007
【図７】
0004487384.tif 000008
【図８】
0004487384.tif 000009
【図９】
0004487384.tif 000010
【図１０】
0004487384.tif 000011
【図１１】
0004487384.tif 000012
【図１２】
0004487384.tif 000013
【図１３】
0004487384.tif 000014
【図１４】
0004487384.tif 000015
【図１５】
0004487384.tif 000016